(57)【要約】【課題】全体的な捻じれや踵部分の変形を抑制すること。【解決手段】土踏まずに対応した中部、土踏まずからつま先側に対応した前部、土踏まずから踵側に対応した後部を有し、可撓性を有する本体と、前記本体に固着され、前記本体よりも硬い補強部材とを備えた靴用中敷であり、前記補強部材が、前記前部の母指球側外縁から前記後部の踵外側外縁へ延設された第１延設部、前記前部の小指球側外縁から前記後部の踵内側外縁へ延設され、前記中部において前記第１延設部と交差した第２延設部、前記後部の中央部を囲むように前記後部の外縁に沿って延び、前記第１延設部の前記後部側の端部と前記第２延設部の前記後部側の端部とを接続する後部接続部、を含む。【選択図】図１
2013138712.tif 000002
【特許請求の範囲】
【請求項１】
土踏まずに対応した中部、土踏まずからつま先側に対応した前部、土踏まずから踵側に対応した後部を有し、可撓性を有する本体と、
前記本体に固着され、前記本体よりも硬い補強部材と、を備えた靴用中敷であって、
前記補強部材が、
前記前部の母指球側外縁から前記後部の踵外側外縁へ延設された第１延設部と、
前記前部の小指球側外縁から前記後部の踵内側外縁へ延設され、前記中部において前記第１延設部と交差した第２延設部と、
前記後部の中央部を囲むように前記後部の外縁に沿って延び、前記第１延設部の前記後部側の端部と前記第２延設部の前記後部側の端部とを接続する後部接続部と、
を含む靴用中敷。
【請求項２】
前記第１延設部及び前記第２延設部の前記前部側の端部が、前記補強部材の前端である請求項１に記載の靴用中敷。
【請求項３】
前記第２延設部の前記前部側の端部は、前記第１延設部の前記前部側の端部よりも前記中部側に位置している請求項２に記載の靴用中敷。
【請求項４】
前記第１及び第２延設部は、それぞれ、その長手方向に延びるリブを含む請求項１に記載の靴用中敷。
【請求項５】
前記補強部材が、
前記前部の中央部を囲むように前記前部の外縁に沿って延び、前記第１延設部の前記前部側の端部と前記第２延設部の前記前部側の端部とを接続する前部接続部を含む請求項１に記載の靴用中敷。
【請求項６】
前記補強部材は、
前記第１及び第２延設部と、前記前部接続部との接続部分において、前記補強部材の前後方向の屈曲を容易化する脆弱部を有する請求項５に記載の靴用中敷。
【請求項７】
前記補強部材は前記本体の底面に固着され、
前記本体の接足面に、前記第１及び第２延設部と重なる位置にＸ字型の図形を施した請求項１に記載の靴用中敷。
【発明の詳細な説明】
【技術分野】
【０００１】
本発明は靴用中敷に関する。
【背景技術】
【０００２】
歩行や運動時の安定性を向上するため、シャンク等の補強部材を設けた靴が提案されている（例えば特許文献１乃至３）。
【先行技術文献】
【特許文献】
【０００３】
【特許文献１】特開２００６−３４６１３０号公報
【特許文献２】特開２００２−２６２９０３号公報
【特許文献３】実公平６−３７６８４号公報
【発明の概要】
【発明が解決しようとする課題】
【０００４】
歩行時には通常、踵から着地した後、前足側が着地して後方に蹴り出される。踵で着地する際に靴の変形が大きかったり、踵から着地して前足側が着地する際に靴の捻じれが大きいとユーザに不安定感を感じさせる場合がある。また、ゴルフ靴では、スイング時に靴の左右方向への荷重変動が大きくなり易い。その際に靴の捻じれが大きいとスイングの安定感を欠く場合がある。
【０００５】
本発明の目的は、全体的な捻じれや踵部分の変形を抑制することにある。
【課題を解決するための手段】
【０００６】
本発明によれば、土踏まずに対応した中部、土踏まずからつま先側に対応した前部、土踏まずから踵側に対応した後部を有し、可撓性を有する本体と、前記本体に固着され、前記本体よりも硬い補強部材と、を備えた靴用中敷であって、前記補強部材が、前記前部の母指球側外縁から前記後部の踵外側外縁へ延設された第１延設部と、前記前部の小指球側外縁から前記後部の踵内側外縁へ延設され、前記中部において前記第１延設部と交差した第２延設部と、前記後部の中央部を囲むように前記後部の外縁に沿って延び、前記第１延設部の前記後部側の端部と前記第２延設部の前記後部側の端部とを接続する後部接続部と、を含む靴用中敷が提供される。
【発明の効果】
【０００７】
本発明によれば、全体的な捻じれや踵部分の変形を抑制することができる。
【図面の簡単な説明】
【０００８】
【図１】（Ａ）は本発明の一実施形態に係る靴用中敷の底面図、（Ｂ）は図１（Ａ）の線Ｉ−Ｉに沿う断面図。
【図２】上記靴用中敷の平面図。
【図３】（Ａ）は本発明の別実施形態に係る靴用中敷の底面図、（Ｂ）は図３（Ａ）の線Ｉ−Ｉに沿う断面図、（Ｃ）は他の断面形状例を示す図。
【発明を実施するための形態】
【０００９】
＜第１実施形態＞
図１（Ａ）は本発明の一実施形態に係る靴用中敷Ａの底面図、図１（Ｂ）は図１（Ａ）の線Ｉ−Ｉに沿う断面図、図２は靴用中敷Ａの平面図である。靴用中敷Ａは、本体１と、本体１の底面に固着された補強部材２と、本体１の上面（接足面）全体に固着された表皮３と、を備える。本実施形態の場合、補強部材２は本体１の底面に固着されているが、本体１に埋設されていてもよい。
【００１０】
本体１は可撓性を有する材料、例えば、ポリウレタン、ポリエチレンビニールアセテート等から構成される。本体１は足裏全体の着座を受ける外形を有する。具体的には、本体１は装着者の土踏まずに対応した中部Ｍ、土踏まずからつま先側に対応した前部Ｆ、及び、土踏まずから踵側に対応した後部Ｒを有する。
【００１１】
補強部材２は、例えば、ポリウレタンやポリアミド等から構成される。補強部材２は本体１よりも硬くする。例えば、本体１の硬さが、アスカーＣ型で３０〜６０の場合、補強部材２の硬さは、アスカーＣ型で６０〜７０とする。補強部材２の材料は本体１の材料と同じでも異なっていてもよい。同一材料とした場合（例えば、本体１を軟質ポリウレタン、補強部材２を硬質ポリウレタンとする）、射出成型によって両者を一体的に成型することで、接着剤を不要としながら、両者を強力に固着することができる。
【００１２】
補強部材２は、延設部２１と、延設部２２と、これらの延設部２１、２２を接続する後部接続部２３と、を一体的に有する。延設部２１は帯状をなしており、本体１の前部Ｆの母指球側外縁１１から後部Ｒの踵外側外縁１３へ延設されている。延設部２２は、帯状をなしており、本体１の前部Ｆの小指球側外縁１２から後部Ｒの踵内側外縁１４へ延設されている。延設部２１と、延設部２２とは、本体１の中部Ｍにおいて互いに交差してＸ字型をなしている。
【００１３】
本実施形態では、延設部２１、２２の前側の端部２１ａ、２２ａが、補強部材２の前端をなしており、前部Ｆのつま先に対応した領域には補強部材２が設けられていない。これにより装着者がそのつま先を比較的自由に屈曲させる。また、延設部２２の前側の端部２２ａは、延設部２１の前側の端部２１ａよりも中部Ｍ側に位置している。これは、母指球よりも小指球が土踏まず側に位置していることに対応したものであり、装着者はつま先の屈曲をより自然に行うことができる。特に、歩行時においては、踵で着地した後、小指球→母指球の順で着地し易くなり、自然な歩行を促進できる。
【００１４】
延設部２１、２２には、その長手方向に延びるリブ２１ｃ、２２ｃを含む。リブ２１ｃは延設部２１、２２の交差点を横断して形成され、リブ２２ｃはリブ２１ｃによって分断されるようにして、２つに分けて形成されている。リブ２１ｃ、２２ｃを設けたことで、延設部２１、２２の曲げ剛性を向上することができる。
【００１５】
図１（Ｂ）に示すように、本実施形態の場合、リブ２１ｃ、２２ｃは、その断面形状が山型でその内側が空洞の殻状をなしているが、その内側が中実であってもよい。また、リブ２１ｃ、２２ｃの断面形状は山型に限られず、方形、半円形等、様々な形状を選択可能である。また、本実施形態の場合、リブ２１ｃ、２２ｃは表皮３側に突出しているが、表皮３と反対側（地面側）に突出していてもよい。
【００１６】
後部接続部２３は、後部Ｒの中央部を囲むように後部Ｒの外縁に沿ってＣ字型に湾曲して延び、延設部２１の後部側の端部２１ａと延設部２２の後部側の端部２２ｂとを接続している。後部接続部２３と、延設部２１及び２２の交差点からそれらの各端部２１ｂ、２２ｂまでの部分と、は環状をなしている。本実施形態の場合、後部接続部２３は補強部材２の成型時に延設部２１、２２と一体的に成型される場合を想定しているが、後部接続部２３と延設部２１、２２とを別部材として作成し、互いに固着してもよい。
【００１７】
表皮３は例えば布製であり、装飾的な図形３１が形成されている。図形３１は例えば印刷、着色により形成される。図形３１はその一部３１ａがＸ字型となっている。このＸ字型の部分３１ａは、同じくＸ字型である延設部２１、２２と重なる位置に施されている。
【００１８】
係る構成からなる本実施形態の靴用中敷Ａでは、延設部２１は矢印ｄ１方向の曲げに抵抗し、延設部２２は矢印ｄ２方向の曲げに抵抗する。したがって、靴用中敷Ａが装着される靴の全体的な捻じれを抑制することができる。特に、リブ２１ｃ、２２ｃを設けたことで、より強く捻じれを抑制することができる。
【００１９】
しかも、延設部２１及び２２の交差点からそれらの各端部２１ｂ、２２ｂまでの部分を利用して後部接続部２３と共に環状の部分を形成し、これが後部Ｒの中央部を囲んでいる。この結果、踵に対応した部分である後部Ｒの変形が抑制され、歩行時に装着者が踵を着地したときの安定感を向上できる。しかも、中央部には補強部材２が存在していないので、クッション性を害することも無い。
【００２０】
表皮３には、延設部２１、２２と重なる位置にＸ字型の部分３１ａの図形が施されているので、装着者に視覚的に、延設部２１、２２の存在を意識させることができる。これは、靴の変形が抑制されることに対する精神的な安心感を装着者が抱くことを促進できる。
【００２１】
なお、延設部２１及び２２の交差点からそれらの各端部２１ａ、２２ａでの部分で囲まれる領域Ｒ１や、後部Ｒの中央の領域Ｒ２には、本体１と補強部材２との中間の硬さを有する部材を設けてもよい。この部材は補強部材２と一体的に形成してもよい。この部材を設けたことで、歩行性を大きく悪化させることなく、靴用中敷Ａの剛性を向上でき、靴用中敷Ａが装着される靴の不必要な変形を抑制できる。
【００２２】
＜第２実施形態＞
上記第１実施形態では、前部Ｆのつま先に対応した領域には補強部材２が設けられていないが、この部分にも設けてもよい。図３（Ａ）は本実施形態に係る靴用中敷Ｂの底面図である。上記第１実施形態の靴用中敷Ａと同じ構成については同じ符号を付して説明を省略し、以下、異なる構成について説明する。
【００２３】
本実施形態の補強部材２は、本体１の前部Ｆの中央部を囲むように前部Ｆの外縁に沿って延びるＵ字型の前部接続部２４を備える。前部接続部２４は延設部２１の前部Ｆ側の端部２１ａと延設部２２の前部Ｆ側の端部２２ａとを接続してこれらに一体的に形成されている。本実施形態の場合、前部接続部２４は補強部材２の成型時に延設部２１、２２と一体的に成型される場合を想定しているが、前部接続部２４と延設部２１、２２とを別部材として作成し、互いに固着してもよい。
【００２４】
延設部２１及び２２の交差点からそれらの各端部２１ａ、２２ａまでの部分を利用して前部接続部２４と共に環状の部分を形成し、これが前部Ｆの中央部を囲んでいる。この結果、前部Ｆの変形が抑制され、歩行時に装着者がつま先で蹴ったときの安定感を向上できる。しかも、前部Ｆの中央部には補強部材２が存在していないので、クッション性を害することも無い。
【００２５】
前部Ｆの中央部には補強部材２が存在していないので、つま先の屈曲性を大きく害するものではない。しかし、靴の変形抑制を重視して補強部材２の材料をより硬い材料とした場合、装着者がつま先を屈曲しずらいと感じる場合がある。そのため、本実施形態では、延設部２１、２２と、前部接続部２４との接続部分に脆弱部２５、２５を設けている。脆弱部２５は、補強部材２の前後方向の屈曲を容易化するよう、接続部分を横方向（より具体的には横斜め方向）に横断するように形成されている。なお、脆弱部２５を設けない構成ももちろん採用可能である。
【００２６】
図３（Ｂ）は図３（Ａ)の線ＩＩ−ＩＩに沿う断面図であり、脆弱部２５の断面図である。本実施形態の場合、脆弱部２５は補強部材２の肉厚を薄くすることで形成している。脆弱部２５において、補強部材２が矢印ｄ３方向に屈曲し易くなるので、装着者がつま先を屈曲し易くなる。なお、脆弱部２５は補強部材２の肉厚を薄くする以外に、図３（Ｃ)の脆弱部２５’に示すように溝形状とする等、補強部材２の屈曲性が良くなる構成であればどのような構成でもよい。
【図１】
2013138712.tif 000003
【図２】
2013138712.tif 000004
【図３】
2013138712.tif 000005